(57)【特許請求の範囲】
【請求項１】
チップモジュールを搭載し回路基板に電気的に接続するために用いられる一種の電気コネクタであって、
厚いヘッド部と薄い端子領域を設け、該端子領域に複数の半田ボールが設けられ、該半田ボールが回路基板に半田付けされることで、回路基板と電気的に接続する平板状ベースと、
前記回路基板と一体に取り付けられ、ヘッド部と互いに係合することによって、電気コネクタを回路基板に安定して取り付ける保持片と、
前記ベース上に係止するカバーと、
このカバーを駆動してベース上に前記カバーを摺動させ、カバーがベースから離れる方向に移動することを阻止するストッパーを含む駆動装置とを有し、
前記ストッパーには、一対のストッパー半田付け部が対称に設けられ、該ストッパー半田付け部が回路基板に近接した平面を半田付け面とすることを特徴とする電気コネクタ。
【請求項２】
前記ベースのヘッド部が回路基板に近接する平面をベース下表面とし、回路基板に対して直交し且つ端子領域から離れる向きに延在する平面をベース側面とすることを特徴とする請求項１記載の電気コネクタ。
【請求項３】
前記保持片は、半田付け部と取付け部を設け、該半田付け部に半田付け面を設け、該取付け部に摺動壁を設け、該摺動壁上に複数の引掛部が設けられたことを特徴とする請求項２記載の電気コネクタ。
【請求項４】
前記ベースの側面に取付け溝を設け、該取付け溝は保持壁を設け、保持片はベースの取付け溝内に係止され、さらに該保持片の半田付け面に半田を塗付けることによって、回路基板に半田付けされることを特徴とする請求項３記載の電気コネクタ。
【請求項５】
前記ベースの下表面の取付け溝に対応した部位に、該取付け溝と連通する収容溝が開設され、前記保持片をベースの取付け溝内に係止するとともに、その半田付け部が収容溝内に収容されることを特徴とする請求項４記載の電気コネクタ。
【請求項６】
前記保持片は、接続アームと、半田付けアームと、係合アームとを有し、該係合アームに係止面を設け、該半田付けアームに半田付け面を設け、該係合アームがカバーに係止されることを特徴とする請求項２記載の電気コネクタ。
【請求項７】
前記ベースの下表面には、前記駆動装置を収容するベース溝とストッパー収容溝とが設けられてなり、該ストッパー収容溝は、前記駆動装置のストッパーを収容するために前記ベースの下表面に凹状に形成され且つその周りに段差部が形成されるとともに、該ストッパー収容溝の中央部には、前記ベースを貫通するように前記ベース溝が配置されることを特徴とする請求項６記載の電気コネクタ。
【請求項８】
前記駆動装置はカムとストッパーを有してなり、前記カムは、前記ベース溝を通じてベースとカバーに貫通されて該ベースとカバーとを一体に取り付け、且つカバーを駆動してベース上にて該カバーを摺動させることを特徴とする請求項７記載の電気コネクタ。
【請求項９】
前記ストッパーはカムの末端部に取り付けられ、カバーがベースから離れる方向に移動することを阻止するとともに、前記ストッパーには、前記ストッパー収容溝の段差部に収容されるとともに該段差部に対応して対称となる位置関係に半田付け部が設けられ、該ストッパー半田付け部の回路基板に近接した平面は半田付け面となっていることを特徴とする請求項８記載の電気コネクタ。
【発明の詳細な説明】
【０００１】
【発明の属する技術分野】
本発明は、半田ボールにより回路基板に半田付けされ、チップモジュールを搭載するとともに、回路基板に電気的に接続するために用いられる電気コネクタに関するものである。
【０００２】
【従来の技術】
図１を参照すると、従来の電気コネクタ９は回路基板５に固定して半田付けされ、ベース６、カバー７及び駆動装置８を含んでいる。前記カバー７はチップモジュール（図示せず）を搭載するためのものである。前記駆動装置８はベース６とカバー７を貫通するとともに、且つカバー７をベース６の上にて摺動可能に駆動することで、チップモジュールと回路基板５とを適時的に電気接続させまたは短絡させ得る。前記ベース６は、厚いヘッド部６０と薄い端子領域６１を設け、且つ該端子領域６１に複数の半田ボール６２が設けられ、ベース６は半田ボール６２を回路基板に半田付けすれることで、回路基板への取付け及び電気的な接続を実現し得るものである。
【０００３】
しかし、前記電気コネクタ９を回路基板に半田付けした後、常に回路基板を倒置して、他面にて他の電子部品を半田付けしなければならないので、電気コネクタ９の半田ボール６２を加熱することになる。そのため、半田ボール６２を加熱し過ぎると半田ボール柔らかくなり、電気コネクタ９が重力により落下することになる。しかし、当該電気コネクタ９のヘッド部６０は厚く、重量も大きいので、さらに半田ボールを設けていないため、回路基板５に半田付けされず保持力が生じないので、回路基板５から離れて傾斜し、傾斜が甚だしい場合には、電気コネクタ９の一部の半田ボール６２が回路基板から剥離され、電気通路を短絡する虞がある。
【０００４】
【発明が解決しようとする課題】
本発明は、一種の電気コネクタを提供し、特に回路基板に安定して保持され且つ半田付け効果の良好な電気コネクタを提供することを目的とする。
【０００５】
【課題を解決するための手段】
上述の課題に鑑み、本発明はチップモジュールを搭載し、且つそれを回路基板に電気的に接続させる電気コネクタであって、平板状ベースと、カバーと、駆動装置と保持片とを含む。前記ベースは厚いヘッド部と薄い端子領域を設置し、且つ該端子領域に複数の半田ボールが設けられ、電気コネクタは半田ボールを回路基板に半田付けすることで、回路基板への取付けまたは電気的な接続が実現できる。前記保持片は回路基板と一体に取り付けられ、カバー或はベースに係合することで電気コネクタを回路基板に安定して取り付けるため、該電気コネクタが回路基板の下側面から加熱される際に、電気コネクタの重心が非対称であることによる傾斜、または半田付け不良などといった現象を防ぐことができる。
【０００６】
【発明の実施の形態】
図２と図３を併せて参照すると、本発明の電気コネクタ１は平板状ベース１１、カバー１２、駆動装置１３、及び保持片１４等を含んでいる。前記ベース１１は厚いヘッド部１１０と薄い端子領域１１１を設け、さらに該端子領域１１１に複数の半田ボール１１２が設けられる。電気コネクタ１は半田ボールを回路基板（図示せず）上に半田付けすることによって、回路基板との取付け及び電気的な接続を実現する。ヘッド部１１０が回路基板に近接した平面はベース下表面１１５であり、回路基板に対して直交し且つ端子領域１１１から離れる向きに延在する平面はベース側面１１４である。前記ベース側面１１４に一対の取付け溝１１４１が開設され、該取付け溝１１４１の長手方向に対向する各側辺は保持壁１１４２である。
【０００７】
前記カバー１２は、ベース１１に係合され、前記ベース１１の端子領域１１１に対応した位置に端子スルーホール１２１が設けられている。カバー１２のチップモジュールに近接する面はカバー上表面１２３である。前記駆動装置１３はカバー１２をベース１１の上にて摺動可能に駆動する。
【０００８】
前記保持片１４は金属片であり、互いに直交する半田付け部１４１と取付け部１４２を設け、該半田付け部１４１が取付け部１４２と直交し且つ取付け部１４２から遠い方の平面は半田付け面１４１１である。該取付け部１４２の長手方向端部の各側壁は摺動壁１４２２であり、該各摺動壁１４２２上に引掛部１４２１が設置されている。保持片１４をベース１１に取り付ける際、摺動壁１４２２はベース１１の保持壁１１４２と接触するとともに、該保持壁上を摺動できる。さらに、引掛部１４２１と保持壁１１４２が干渉して係合するので、保持片１４がベース１１上に固く取り付けられることになる。
【０００９】
前記保持片１４の半田付け面１４１１に半田２を塗付けた後、電気コネクタ１が回路基板に半田付けされる時、保持片１４と半田ボール１１２が同時に回路基板に半田付けされる。従って、電気コネクタ１と回路基板との結合力を増大することができ、特にヘッド部１１０と回路基板との結合力が増大することで、回路基板を倒置して他の電子部品を半田付けする時、たとえ半田ボール１１２と半田２が加熱されて、柔らかくなったとしても、電気コネクタが傾斜する等の不良現象を生ずることはない。また、保持片１４と回路基板との結合力の大きさは、半田付け面１４１１の面積及び必要な半田量により決定されるので、電気コネクタと回路基板がより精確かつ信頼できる位置決め効果を提供することができる。
【００１０】
図４は、本発明の第２実施の形態であって、ベース下表面１１５”が取付け溝１１４１”に対応した位置に、取付け溝１１４１”の幅と同一で、しかも互いに貫通する収容溝１１５１が開設されている。保持片１４”は取付け溝１１４１”のベース下表面１１５”に近接した一端部にてベース１１”に取付けられ、保持片１４”の摺動壁１４２２”は半田付け部１４１” が収容溝１１５１内に完全に進入するまで、ベース１１”の各保持壁１１４２”に接触し該保持壁上を摺動する。引掛部１４２１”と保持壁１１４２”とは干渉して係合することにより、保持片１４”がベース１１”に係合されることになる。
【００１１】
図５と図６を参照すると、図５及び図６は本発明の第３実施の形態を示している。保持片１５は接続アーム１５４、該接続アーム１５４の両端部からコネクタ１５４に対して垂直な方向に延出した半田付けアーム１５３と係合アーム１５５を含む。該半田付けアーム１５３の係合アーム１５５に対して遠い方の平面は半田付け面１５３１である。該係合アーム１５５はカバー１２”のカバー上表面１２３”に係合される。半田付け面１５３１に半田２が塗付けられ、回路基板との取付けは第１実施の形態と同一技術が利用される。
【００１２】
図７と図８を併せて参照すると、図７及び図８は本発明の第４実施の形態を示している。ベース１６のベース下表面１６１の中央部にベース溝１６２が開設されている。ベース下表面１６１のベース溝１６２と対応した位置にはストッパー収容溝１６３が設けられている。前記ストッパー収容溝１６３の側縁には、該ストッパ収容溝を中心として段差部１６４が対称に設置されている。カバー１７はベース溝１６２と対応する位置にカバー溝を設けている（図示せず）。駆動装置１８はカム１８１とストッパー１８２を有している。該カム１８１はベース１６のベース溝１６２とカバー１７のカバー溝を貫通して、ベース１６とカバー１７を一体に取り付け、且つカバー１７をベース１６の上に摺動可能に駆動する。前記ストッパー１８２はカム１８１の末端部に取り付けられ、カバー１７がベース１６から離れる方向に移動することを阻止できる。またストッパー１８２には一対のストッパー半田付け部１８３が段差部に対応して対称に設けられ、該ストッパー半田付け部１８３の回路基板に近接する平面はストッパー半田付け面１８４である。ストッパー半田付け部１８３は段差部１６４内に収容される。また前記ストッパー半田付け面１８４に半田を塗付け可能で（図示せず）、且つ回路基板との取付けは第１実施の形態と同一技術が利用される。
【００１３】
本発明に係る４つの実施の形態は、いずれも電気コネクタ１を回路基板に安定して係合する目的を実現できるとともに、電気コネクタの重心が非対称であることによる傾斜を避ける効果がある。
【００１４】
前記の実施の形態は単なる本発明のより良い実施の形態にすぎず、本発明の請求範囲を限定するものではなく、本発明の技術を熟知しているものが本発明に基づいて細部の修正或いは変更など、いずれも本発明の特許請求の範囲に属するものとする。
【図面の簡単な説明】
【図１】  本発明に係る従来の電気コネクタは回路基板に半田付け不良が生じる状態の側面図である。
【図２】  本発明の電気コネクタの第１実施の形態の斜視見取り図である。
【図３】  本発明の電気コネクタの第１実施の形態の側面図である。
【図４】  本発明の電気コネクタの第２実施の形態の斜視見取り図である。
【図５】  本発明の電気コネクタの第３実施の形態の斜視見取り図である。
【図６】  本発明の電気コネクタの第３実施の形態の側面図である。
【図７】  本発明の電気コネクタの第４実施の形態の斜視分解図である。
【図８】  本発明の電気コネクタの第４実施の形態の斜視組立図である。
【符号の説明】
１  電気コネクタ
２  半田
１１、１１”、１６  ベース
１２、１２”１７  カバー
１３、１８  駆動装置
１４、１４”、１５  保持片
１１０  ヘッド部
１１１  端子領域
１１２  半田ボール
１１４、１１４”  ベース側面
１１５、１１５”、１６１  ベース下表面
１２１  端子スルーホール
１２３、１２３”  カバー上表面
１４１、１４１”  半田付け部
１４２  取付け部
１５３  半田付けアーム
１５４  接続アーム
１５５  係合アーム
１６２  ベース溝
１６３  ストッパー収容溝
１６４  段差部
１８１  カム
１８２  ストッパー
１８３  ストッパー半田付け部
１８４  ストッパー半田付け面
１１４１、１１４１”  取付け溝
１１４２、１１４２”  保持壁
１１５１  収容溝
１４１１、１４１１”  半田付け面
１４２１、１４２１”  引掛部
１４２２、１４２２”  摺動壁
１５３１  半田付け面
【図１】
0003999650.tif 000002
【図２】
0003999650.tif 000003
【図３】
0003999650.tif 000004
【図４】
0003999650.tif 000005
【図５】
0003999650.tif 000006
【図６】
0003999650.tif 000007
【図７】
0003999650.tif 000008
【図８】
0003999650.tif 000009